(57)【要約】      （修正有）【課題】従来の理美容椅子にあっては、昇降手段を取付けるためにベースの中央部を裁頭円錐形状としているため、ベースの外観的なデザインが美的でなく、また、昇降装置の鍔部を裁頭円錐の平坦部に取付けるためのネジが露出しないように鍔部および昇降装置の外周をカバーで覆っているため、該カバーの部品が増加してコストが高くなり、かつ、組立作業も増えるといった問題があった。【解決手段】椅子における座部の上昇は操作杆を足で踏み込むことで行い、下降はペダルを最下降位置まで踏み込むことで行う昇降装置と、上面が略平坦に形成され前記昇降装置を取付ける厚みの厚い昇降装置取付部が形成され、かつ、前記昇降装置の底面に形成されたネジ孔にネジを螺合するためのネジ挿通孔が形成されたベース本体および該ベース本体の上面を覆うカバーとから構成したベースとよりなる理美容椅子昇降用脚構造である。【選択図】図２
0003129085.tif 000002
【実用新案登録請求の範囲】
【請求項１】
椅子における座部の上昇は操作杆を足で踏み込むことで行い、また、下降はペダルを最下降位置まで踏み込むことで行う昇降装置と、略平坦に形成され中央部に前記昇降装置を取付けるためのネジ挿通孔が形成されたベース本体と、該ベース本体の上面を覆い中央に前記ネジ挿通孔と連通するネジ挿通孔が形成されたカバーとから構成し、ベース本体のネジ挿通孔からカバーのネジ挿通孔を介して昇降装置の底面に形成されているネジ孔にネジを螺合して一体化したことを特徴とする理美容椅子昇降用脚構造。
【請求項２】
前記ベース本体の外周にゴムや合成樹脂等の比較的柔軟な材料で形成されたベースサッシュを装着し、ベース本体と床面との間に隙間が発生しないようにしたことを特徴とする請求項１記載の理美容椅子昇降用脚構造。
【請求項３】
椅子における座部の上昇は操作杆を足で踏み込むことで行い、また、下降はペダルを最下降位置まで踏み込むことで行う昇降装置と、略平坦に形成され前記昇降装置を取付ける中央部が厚みが厚く形成され、かつ、前記中央部にネジ挿通孔が形成されたベース本体とから構成し、ベース本体のネジ挿通孔から昇降装置の底面に形成されているネジ孔にネジを螺合して一体化したことを特徴とする理美容椅子昇降用脚構造。
【請求項４】
前記ベースの裏面外周にリング状の垂下片を形成し、該垂下片にゴムや合成樹脂等の比較的柔軟な材料で形成されたベースサッシュを装着し、ベース本体と床面との間に隙間が発生しないようにしたことを特徴とする請求項３記載の理美容椅子昇降用脚構造。
【考案の詳細な説明】
【技術分野】
【０００１】
本考案は、コの字状の操作杆を足で繰り返し踏み込むことで油圧シリンダによって座部を上昇させ、また、操作杆を踏み続けることで座部および着座している人の体重によって座部が下降する昇降機構を有する理美容椅子であって、前記昇降機構を取付けるための基台が円盤状に形成されているフラットベースに取付けるための構造に関する。
【背景技術】
【０００２】
従来における昇降機構を円盤状に形成したベースに取付ける機構としては、登録意匠第１０４７８４０号公報に開示されているものがある。すなわち、ベースは中心部分が上方に盛り上がった裁頭円錐に形成されており、この裁頭円錐の平坦部に昇降機構の下部に形成された鍔状の下面を載置すると共に、この鍔部とベースの裁頭円錐の平坦部とをネジ止めして一体化する。この状態において、昇降機構の鍔部より下側はベースの裏面側に突出した状態となっている。
【特許文献１】登録意匠第１０４７８４０号公報
【考案の開示】
【考案が解決しようとする課題】
【０００３】
前記した従来の理美容椅子にあっては、昇降手段を取付けるためにベースの中央部を裁頭円錐形状としているため、ベースの外観的なデザインが美的でなく、また、昇降装置の鍔部を裁頭円錐の平坦部に取付けるためのネジが露出しないように鍔部および昇降装置の外周をカバーで覆っているため、該カバーの部品が増加してコストが高くなり、かつ、組立作業も増えるといった問題があった。
【０００４】
本考案は前記した問題点を解決せんとするもので、その目的とするところは、ベースを薄くし平坦な形状としたことにより美観に優れ、また、ベースと昇降装置との取付けをベースの裏面側からネジ止めしたのでネジを隠すためのカバーが不要となってコストの低減と作業性の向上が図れ、さらに、ベースと床面との間にゴミや髪の毛が入り込むのを防止できる理美容椅子昇降用脚構造を提供せんとするにある。
【課題を解決するための手段】
【０００５】
本考案の理美容椅子昇降用脚構造は前記した目的を達成せんとするもので、請求項１の手段は、椅子における座部の上昇は操作杆を足で踏み込むことで行い、また、下降はペダルを最下降位置まで踏み込むことで行う昇降装置と、略平坦に形成され中央部に前記昇降装置を取付けるためのネジ挿通孔が形成されたベース本体と、該ベース本体の上面を覆い中央に前記ネジ挿通孔と連通するネジ挿通孔が形成されたカバーとから構成し、ベース本体のネジ挿通孔からカバーのネジ挿通孔を介して昇降装置の底面に形成されているネジ孔にネジを螺合して一体化したことを特徴とするものである。
【０００６】
請求項２の手段は、前記した請求項１において、前記カバーの外周にゴムや合成樹脂等の比較的柔軟な材料で形成されたベースサッシュを装着し、床面とベースの裏面との間に隙間が発生しないようにしたことを特徴とする。
【０００７】
請求項３の手段は、椅子における座部の上昇は操作杆を足で踏み込むことで行い、また、下降はペダルを最下降位置まで踏み込むことで行う昇降装置と、略平坦に形成され前記昇降装置を取付ける中央部が厚みが厚く形成され、かつ、前記中央部にネジ挿通孔が形成されたベース本体とから構成し、ベース本体のネジ挿通孔から昇降装置の底面に形成されているネジ孔にネジを螺合して一体化したことを特徴とする。
【０００８】
請求項４の手段は、前記した請求項３において、前記ベースの裏面外周近くにリング状の垂下片を形成し、該垂下片にゴムや合成樹脂等の比較的柔軟な材料で形成されたベースサッシュを装着し、床面とベースの裏面との間に隙間が発生しないようにしたことを特徴とする。
【考案の効果】
【０００９】
本考案は前記したように、上面が略平坦に形成され昇降装置を取付ける部分の厚みが厚く形成され、かつ、前記昇降装置の底面に形成されたネジ孔にネジを螺合するためのネジ挿通孔が形成されたベースに対して昇降装置をネジ止めするようにしたので、ベースが薄く、かつ、平坦な形状であることから美観に優れ、また、ベースと昇降装置との取付けをベースの裏面側からネジ止めしたのでネジを隠すためのカバーが不要となってコストの低減と作業性の向上が図れものである。
【００１０】
また、前記ベースに対してゴムや合成樹脂等の比較的柔軟な材料で形成されたベースサッシュを装着して床面とベースの裏面との間に隙間が発生しないようにしたので、ゴミや毛髪がベースの下側に入り込むことがなく、従って、床面を常に清浄な状態に保つことができる等の効果を有するものである。
【考案を実施するための最良の形態】
【００１１】
本考案は、平坦に形成されたベースの中央部上面に昇降装置の裏面を直接ネジ止め固定した理美容椅子昇降用脚構造である。
【実施例１】
【００１２】
以下、本考案の理美容椅子昇降用脚構造の一実施例を図面と共に説明する。
１は本考案の要旨である脚構造におけるベースにして、図１〜図３に示すように、円盤状のベース本体１１と、該ベース本体１１の上面を覆うカバー１２と、前記ベース本体１１の外周部分に弾性力によって嵌め込むゴムや合成樹脂等の比較的柔軟な材料で形成されたリング状で、かつ、断面Ｕ字状のベースサッシュ１３とから構成されている。
【００１３】
前記ベース本体１１は厚みの厚い金属板によって形成され、中央部１１ａには後述する昇降装置２をネジ止めするためのネジ挿通孔１１ｂが形成されている。また、前記カバー１２の中央にもネジ挿通孔１２ａが形成されている。また、ベース本体１１の外周部は肉薄に形成され、この肉薄部にベースサッシュ１３をはめ込んだ状態とする。そして、ベース本体１１の上にカバー１２を重ねた状態において、ネジ挿通孔１１ｂからカバー１２のネジ挿通孔１２ａを介してネジ１４を差し込み昇降装置２における基台部２２ａに形成されているネジ孔に螺合することでベース１と昇降装置２とは一体化される。
【００１４】
なお、前記した実施例のベースにおけるベース本体１１が平坦で、かつ、同じ厚みの金属板で構成したものであるが、ベース本体１１の中央部１１ａに昇降装置２の外径と略同じ大きさで、かつ、厚みを厚く構成した図４に示すような形状としたものであってもよい。この場合における昇降装置２との取付けは前記した図３と同様な方法で一体化する。
【００１５】
また、図５に示すようにベース本体１１とベースサッシュ１３とから構成したものであってもよい。すなわち、ベース本体１１の裏面中央部１１ａに図４と同様にネジ挿通孔１１ｂを有する厚みの厚く形成し、また、裏面外周に近い部分にリング状の垂下片１１ｃを一体的に形成し、この垂下片１１ｃにベースサッシュ１３を嵌め込んだものであってもよい。この場合には、ベース本体１１に直接昇降装置２をネジ止め固定することになる。
【００１６】
２は公知の昇降装置にして、操作杆２１が上昇位置にある状態においては足踏みポンプ２２のピストン２２ａはスプリング２２ｂのバネ力によって上昇しており、かつ、油タンク２３内の油がシリンダ２２ｃ内に貯留されている。この状態において操作杆２１を足で踏み込むと足踏みポンプ２２のピストン２２ａがスプリング２２ｂのバネ力に抗して下降し、シリンダ２２ｃの下部に溜まっている油がボール２２ｄを押し下げる。そして、ボール２２ｄが押し下げられることで基台部２２ｅに形成されている油路２２ｅ′を介して椅子昇降用シリンダ２４内に供給され、該昇降用シリンダ２４のピストン２４ａが上昇し、該ピストン２４ａの上端に取付けられている椅子（図示せず）が上昇する。
【００１７】
椅子昇降用シリンダ２４によって所定量上昇した状態において操作杆２１の踏み力を解除すると、スプリング２２ｂのバネ力によって操作杆２１が回動されて初期位置に戻ると共にピストン２２ａが上昇するので、ボール２２ｄが元の位置に戻って油路２２ｅ′の供給路を塞ぎ、椅子昇降用シリンダ２４への油の供給を停止して椅子の上昇は停止する。また、前記ピストン２２ａが上昇することで油タンク２３内の油がシリンダ２２ｃ内に入り込む。
【００１８】
また、椅子を下降するには、操作杆２１を最下降位置まで踏み込むとピストン２２ａが前記ボール２２ｄを押し下げるので、着座している人の重量と椅子の重量とによって椅子昇降用シリンダ２４内の油は油路２２ｅ′を介して足踏みポンプ２２のピストン２２ａ内に戻され、該戻された油は油タンク２３内に戻されるので、椅子昇降用シリンダ２３のピストン２４ａは下降し椅子を下降させることになる。なお、２５は油タンク２３を構成するためのキャップにして、前記基台部２２ｅの外周に形成された溝に対してキャップ２５の内周に形成されたリング状の凸条を嵌め込むことで一体化可能となっている。
【００１９】
このように構成された本考案の理美容椅子昇降用脚構造にあっては、前記したベース１のベース本体１１における昇降装置取付部１１ａの上にカバー１２を介して、あるいは、直接昇降装置２の下面を接触させた状態において、ベース本体１１の裏面側から基台部２２ｆに形成されているネジ孔にボルト１４をネジ込むことで、ベース１と昇降装置２とは一体化される。
【００２０】
従って、ベースが薄く、かつ、平坦な形状とすることで、美観に優れ、また、ベースと昇降装置との取付けをベースの裏面側からネジ止めしたのでネジを隠すためのカバーが不要となってコストの低減と作業性の向上が図れものである。
【図面の簡単な説明】
【００２１】
【図１】本考案に係る理美容椅子昇降用脚構造における昇降装置を取付けた状態の斜視図である。
【図２】同上の分解斜視図である。
【図３】断面図である。
【図４】他の実施例におけるベースを示し、（ａ）はベースの平面図、（ｂ）は断面図である。
【図５】さらに、他の実施例におけるベースを示し、（ａ）はベースの平面図、（ｂ）は断面図である。
【符号の説明】
【００２２】
１          ベース
１１        ベース本体
１１ａ      中央部
１２        カバー
１３        ベースサッシュ
【図１】
0003129085.tif 000003
【図２】
0003129085.tif 000004
【図３】
0003129085.tif 000005
【図４】
0003129085.tif 000006
【図５】
0003129085.tif 000007